(57)【要約】【解決課題】  不正器具や合鍵による不正解錠が完全に防止され、既設機にも取り付けることができる遊技機の不正解錠防止装置及び防止システムを提供すること。【解決手段】  取付ベース１と、取付ベース１上に遊技機の施錠装置の鉤部材８０に向かって前進後退可能に設けられたスライド部材２と、当該スライド部材２を後退方向に作動させる電磁石３と、スライド部材２を前進方向に付勢するばねと、スライド部材２に設けられ当該スライド部材２が前進状態にあるとき鉤部材８０の解錠方向への動きを抑制する規制部材６とを備えたことを主要な特徴とする。不正解錠防止システムは、遊技場の各島単位で、遊技機に設置された前記不正解錠防止装置ａを操作するとともに、操作毎に、島情報と、操作した者の識別情報とその時刻を記録・管理することを特徴とする。【選択図】      図２
0003109275.tif 000002
【実用新案登録請求の範囲】
【請求項１】
背面の遊技盤（７０ａ）が収容状態となるように前面枠（７０）が収容枠（７１）に対して扉状に取り付けられた遊技機（７）の前面枠（７０）と収容枠（７１）のいずれかの一方には鉤部材（８０）が、他方には係止部材（８１）がそれぞれ取り付けられ、前記鉤部材（８０）が係止部材（８１）に係止されたとき前面枠（７０）が収容枠（７１）に対して施錠され、前記鉤部材（８０）が係止部材（８１）への係止を解除されたときに解錠される施錠装置（８）の施錠状態における前記鉤部材（８０）の近傍に設置される不正解錠防止装置（ａ）であって、
取付ベース（１）と、当該取付ベース（１）上へ前進後退可能に設けられたスライド部材（２）と、当該スライド部材（２）を前進方向へ付勢するばねと、前記スライド部材（２）を前記ばねの付勢に抗して後退方向へ作動させる電磁石（３）と、前記スライド部材（２）に設けられ当該スライド部材（２）が前進位置にあるときに前記鉤部材（８０）の解錠方向への動きを抑制して前記施錠装置（８）を解錠禁止状態とする規制部材（４）とを備え、前記スライド部材（２）を後退方向へ手動により引っ張る引張手段（５）を設け、前記スライド部材（２）が後退位置にあるとき前記施錠装置（８）を解錠許容状態とすることを特徴とする、遊技機の不正解錠防止装置。
【請求項２】
前記規制部材（４）は、スライド部材（２）の先端部分の左右対称位置に設けられている、請求項１に記載の遊技機の不正解錠防止装置。
【請求項３】
遊技場内の各島（ｃ１，ｃ２…ｃｎ）の各遊技機（７）に請求項１に記載の遊技機の不正解錠防止装置（ａ）を設置するとともに、各島（ｃ１，ｃ２…ｃｎ）に対応してそれぞれ制御手段（６）と読取手段（６０）とを設置し、当該遊技場に所属する全係員に当該係員の固有識別情報が記録された識別手段（６ａ）を所持させ、いずれかの識別手段（６ａ）に記録された固有識別情報をいずれかの読取手段（６０）が読み取る毎に、当該読取手段（６０）が属する島に対応する制御手段（６）を通じて、当該島の全部の不正解錠防止装置（ａ）の電磁石（３）を作動させて前記施錠装置（８）を所定の設定時間解錠許容状態とした後に施錠禁止状態に復帰させるように制御し、同時に当該島の識別情報，前記読取手段（６０）が読み取った前記固有識別情報及び前記施錠装置（８）が解錠許容状態になった時刻とを記録・管理することを特徴とする、遊技機の不正解錠防止システム。
【考案の詳細な説明】
【技術分野】
【０００１】
本考案はパチンコ機，スロットル機その他の遊技機における不正解錠防止装置、及びそれを用いた不正解錠防止システムに関するものである。
【背景技術】
【０００２】
パチンコ機，スロットル機等の主な遊技機（台）は、主要遊技部品が搭載された遊技盤を主として収容する収容枠（外枠）と、この収容枠へ扉状に取り付けられた施錠可能な前面枠とから構成され、前面枠は正面に施錠可能なガラス窓を有するとともに背面に遊技盤が取り付けられている。
収容枠に対する前面枠の施錠装置は、収容枠の内側に設けられた係止部材と、前面枠の開閉端寄りの内側（遊技盤の側面）に設けられ、前記係止部材に係止されることにより施錠状態となる鉤部材と、鍵操作により前記鉤部材に前記係止部材との係止を解除する方向の解錠作用を付与するための錠部材（シリンダ錠）と、解錠作用を前記鉤部材に伝達する作動部材とを備えている。
ところで近年の遊技機は、遊技盤に搭載した制御回路のプログラムやメモリデータ等により、所定の確率で大当たり入賞が出るように構成された射幸性に富むものが大半であるところから、不当かつ高額な利益を得ることを目的として針金等の不正器具や複製された合鍵等により不正に解錠されることが多く、これを防止するため種々の防止手段が講じられている。
【０００３】
不正解錠防止装置としては、例えば、鉤部材と作動部材を複数設置してそれぞれ独立して解錠方向に作動させるもの（後記特許文献１）や、前面枠の施錠状態において作動部材の移動を規制するロック部材を設け、解錠操作によりロック部材が作動部材の規制を解除し、次いで鉤部材が係止部材から外れて解錠されるように構成したもの（後記特許文献２）が提案されている。
しかし、前記のような不正解錠防止装置は、針金等の不正器具を遊技機前面の隙間から差し込んで不正解錠をしようとする場合に、解錠し難くはなるが不正解錠が完全に防止されるわけではないほか、不正に入手した合鍵を用いる場合には全く効果がなく、また、それぞれ構造が異なる施錠装置を有する既設の遊技機に取り付けることができない（汎用性がない）等の欠点があった。
【０００４】
前記の欠点を解消した装置として、取付ベース上に前進後退可能なスライド部材を設け
、当該スライド部材をばねにより常時前進方向に付勢する一方、スイッチ操作により前記スライド部材を前記付勢に抗して後退方向へ作動させる電磁石を設けるとともに、前記スライド部材に、当該スライド部材が前進位置にあるときに当該遊技機における鉤部材の解錠方向への動きを抑制する規制部材を設けたものが提案されている（後記特許文献３）。
この不正解錠防止装置は、当該遊技場の係員等がスイッチ操作により電磁石を作動させない限り解錠禁止状態が維持されるので、不正器具や合鍵等によっても解錠することができず、不正解錠を確実に防止することができ、かつ、機種の異なる遊技機にも使用することができた。しかしながら、遊技機の電気配線の故障時や停電時には解錠することができないという問題があった。
また、この不正解錠防止装置であっても、遊技者に脅迫され又は遊技者と結託した当該球技場の係員に前記電磁石が作動するようにスイッチ操作をさせると、それらの遊技機の施錠装置は解錠禁止状態が解除される（解錠許容状態となる）ので、不正解錠が行われるおそれがあった。
【特許文献１】特開２００３−２６５８１６号公報
【特許文献２】特開２００３−１９３７２４号公報
【特許文献３】実用新案登録第３１０１８２９号公報
【考案の開示】
【考案が解決しようとする課題】
【０００５】
本考案の課題の一つは、不正解錠を確実に防止することができかつ汎用性のある不正解錠防止装置であって、遊技機の電気配線故障時や停電時その他、スイッチ操作等によっても電磁石が作動しない（解錠禁止状態が解除されない）ときの対策を講じた不正解錠防止装置を提供することにある。
本考案の課題の他の一つは、遊技機の故障整備や予防整備等の必要なとき以外は、当該遊技場の係員が遊技機に設置された前記不正解錠防止装置を操作することを心理的に困難にすることにより、十分な不正解錠の防止効果が得られる遊技機の不正解錠防止システムを提供することにある。
【課題を解決するための手段】
【０００６】
本考案に係る不正解錠防止装置は、前記課題を解決するため以下のように構成したものである。
すなわち、背面の遊技盤７０ａが収容状態となるように前面枠７０が収容枠７１に対して扉状に取り付けられた遊技機７の前面枠７０と収容枠７１のいずれかの一方には鉤部材８０が、他方には係止部材８１がそれぞれ取り付けられ、前記鉤部材８０が係止部材８１に係止されたとき前面枠７０が収容枠７１に対して施錠され、鉤部材８０が係止部材８１への係止を解除されたときに解錠される施錠装置８の施錠状態における前記鉤部材８０の近傍に設置される不正解錠防止装置ａであって、取付ベース１と、取付ベース１上へ前進後退可能に設けられたスライド部材２と、当該スライド部材２を前進方向へ付勢するばねと、前記スライド部材２を前記ばねの付勢に抗して後退方向へ作動させる電磁石３と、前記スライド部材２に設けられ当該スライド部材２が前進位置にあるときに前記鉤部材８０の解錠方向への動きを抑制して前記施錠装置８を解錠禁止状態とする規制部材４とを備え、前記スライド部材２を後退方向へ手動により引っ張る引張手段５を設け、前記スライド部材２が後退位置にあるとき前記施錠装置８を解錠許容状態とすることを主要な特徴としている。
【０００７】
本考案に係る遊技機の不正解錠防止システムは、前記課題を解決するため、遊技場内の各島ｃ１，ｃ２…ｃｎの各遊技機７に請求項１に記載の遊技機の不正解錠防止装置ａを設置するとともに、各島ｃ１，ｃ２…ｃｎに対応してそれぞれ制御手段６と読取手段６０とを設置し、当該遊技場に所属する全係員に当該係員の固有識別情報が記録された識別手段６ａを所持させ、いずれかの識別手段６ａに記録された固有識別情報をいずれかの読取手段６０が読み取る毎に、当該読取手段６０が属する島に対応する制御手段６を通じて、当該島の全部の不正解錠防止装置ａの電磁石３を作動させて前記施錠装置８を所定の設定時間解錠許容状態とした後に施錠禁止状態に復帰させるように制御し、同時に当該島の識別情報，前記読取手段６０が読み取った前記固有識別情報及び前記施錠装置８が解錠許容状態になった時刻とを記録・管理することを特徴としている。
【考案の効果】
【０００８】
本考案に係る遊技機の不正解錠防止装置は、規制部材４が施錠装置８の鉤部材８０の解錠方向への動きを抑制する位置に設置し、前記引張手段５に連結したワイヤ等の端末を遊技機７外に導き、例えば遊技機７に取り付けた施錠可能なケースに前記ワイヤ等の端末を収容する。
この取付状態において、通常はスライド部材２がばねにより前進位置にあって鉤部材８０は規制部材４により解錠方向への動きが抑制されて解錠禁止（不能）状態になっており、例えば当該遊技場の管理者や作業員がスイッチ操作等により電磁石３を作動させない限り解錠禁止状態が維持されるので、外部から不正器具を差し込んでも、合鍵よっても解錠することはできず、不正解錠を確実に防止することができる。係止部材８１へ鉤部材８０を係止して施錠する施錠装置を有する遊技機であれば、既設の遊技機や異なる形態の遊技機にも使用することができる。
また、遊技機の電気配線の故障時や停電時には、前記引張手段５を手動操作することにより解錠可能状態にすることができる。
【０００９】
本考案に係る遊技機の不正解錠防止システムによれば、各島ｃ１,ｃ２…ｃｎ単位で、遊技機７の不正解錠防止装置ａを係員の誰が何時操作したかがその都度記録・管理されるので、係員による装置ａの不正な操作を心理的に困難にし、不正解錠をより完全に防止することができる。
【考案を実施するための最良の形態】
【００１０】
不正解錠防止装置の実施形態
図１は本考案に係る一実施形態の不正解錠防止装置を設置したパチンコ機の前面枠を９０度強開いた状態の概略斜視図、図２は本考案に係る実施形態の不正解錠防止装置のカバーを取り外した状態の部分破断斜視図、図３は図２の不正解錠防止装置の通常状態（解錠禁止状態）の平面図、図４は図２の不正解錠防止装置が解錠可能状態に作動したときの平面図、図５は図２〜図４の装置において取付ベース上の各部品をカバーで覆った状態の斜視図である。
【００１１】
図１で示すように、パチンコ機である遊技機７は、収容枠（外枠）７１とこの収容枠７１へ各ヒンジ７２により扉状に取り付けられた前面枠７０とを備え、前面枠７０の前面には施錠可能な扉状のガラス窓７０ｂが取り付けられている。
前面枠７０には、前面下部に図示しない打球発射装置や玉受皿等のパチンコゲームを展開するための遊技部品が搭載され、背面に遊技盤７０ａが保持されている。遊技盤７０ａの前面には図示しない釘や入賞器具等の遊技部品が取り付けられ、遊技盤７０ａの背面にはプリント基板その他の遊技部品が搭載されている。
【００１２】
収容枠７１に対する前面枠７０の施錠装置８は、前面枠７０の開閉端寄りの内側（遊技盤の側面）上下に設けられた鉤部材８０，８０と、収容枠７１の内側に各鉤部材８０と対応するように取り付けられた係止部材８１とを備えている。各鉤部材８０は、上下のホルダ８３，８３へスライド可能に保持された棒状の作動部材８２によって連結され、ばね８４により常時施錠される方向（図の形態では上方）に付勢され、図示しないストッパにより上限位置が規制されるように構成されている。
【００１３】
したがって、遊技盤７０ａが収容枠７１内に収まるように前面枠７０を完全に閉じると、各鉤部材８０の先端の傾斜部が対応する係止部材８１の下縁にガイドされて当該鉤部材８０が対応する係止部材８１に係止され、前面枠７０が収容枠７１に対して施錠される。
前面枠７０のガラス窓７０ｂよりも下部の開閉端寄り位置には、錠部材（シリンダ錠）８５が貫通状に取り付けられており、錠部材８５の正面側の鍵穴８６から図示しない鍵を挿入して一方向に回すと、各鉤部材８０が作動部材８２を通じて対応する係止部材８１から外れる方向（解錠方向）に作動して解錠される。
施錠装置８にはばね８４を使用せず、鍵穴８６から挿入した図示しない鍵を一方向に回すと鉤部材８０が施錠方向に作動し、鍵を他方向に回すと鉤部材８０が解錠方向に作動するように構成されていても差し支えない。
また、鉤部材８０が収容枠７１側に、係止部材８１が前面枠７０側に取り付けられていても実施することができる。
【００１４】
不正解錠防止装置ａは、後述の規制部材４が施錠装置８の施錠状態における鉤部材８０の解錠方向への動きを阻止する状態（図３）に設置される。すなわち、この実施形態では、係止部材８１が取り付けられている収容枠７１の内側の側面において、係止部材８１の近傍に設置される。
なお、鉤部材８０は施錠・解錠方向に作動するとき所定の支点を中心として又は所定のガイドスリットに沿って回動する構成のものもあり、本考案に係る不正解錠防止装置はこのような構成の施錠装置に対しても使用することができる。
【００１５】
図２及び図３で示すように、この実施形態の不正解錠防止装置ａは、長さ方向の両側に立壁１１,１１を有するほぼ方形で板状の取付ベース１を備えており、この取付ベース１には、遊技機７の収容枠７１又は前面枠７０の所要部分に図示しないねじにより取り付けるための複数の取付片１２が一体に形成されている。
取付ベース１の上には、先端部（図の右端部）寄り位置に図の右方向に向かって進退可能な板状のスライド部材２が取り付けられている。このスライド部材２は、両側部寄り位置に形成された各ガイドスリット２０に、取付ベース１に植設された各ガイドピン１３をそれぞれ案内した状態で取り付けられていおり、一定の範囲で取付ベース１上を前進後退方向（図の左右方向）へ往復スライドする。
２４はスライド部材２の両側部に沿って立ち上がるように取り付けられた断面アングル状のガイド板であり、取付ベース１の対応する立壁１１との摩擦が小さくなるように低摩擦板により形成されている。
【００１６】
取付ベース１上の後端部（図の左端部）寄り位置には、スライド部材２を引き付けて後退方向に作動させる電磁石（ソレノイド）３が取り付けられている。電磁石３のコイルは絶縁性テープでカバーされた状態で保持枠３１へ収容状態に保持されており、保持枠３１は、断面アングル状の取付板３２と各ねじ３３とにより取付ベース１へ固定されている。
取付ベース１には、電磁石３のコイル及び前記保持枠３１と対応する部分に作動時の当該電磁石３の放熱促進のための孔１４が形成されている。
保持枠３１から前端方向に突き出した電磁石３の可動鉄心３０の先端部は、所定のねじ２２により連結片２１を介してスライド部材２へ連結されている。電磁石３のコイルの内側には、可動鉄心３０を介してスライド部材２を常時前進方向へ付勢するばね（図示せず）が設けられている。このばねは、スライド部材２を前述のように付勢する状態であれば他の位置に取り付けることができる。
３４は電磁石３のコイルと接続されたリード線でありる。
【００１７】
スライド部材２の先端両側部寄り位置には、平面視コ字状の板からなる規制部材４がスライド部材２の一部を切り起した状態で設けられている。この規制部材４は、スライド部材２が図２及び図３のように前進位置にあるとき、施錠装置８における鉤部材８０の解錠方向への動きを抑制（阻止）するように作用するが、板状の鉤部材８０は、鉤の向きが全て同じになるように設置されているとは限らないので、鉤部材８０が図３の実線のような向きである場合でも、同図の点線のような向きである場合でも使用できるように、スライド部材２の先端方向に向かって左右対称の位置に設けられている。
【００１８】
スライド部材２の後端部の一側には突起片２３が一体に形成されており、この突起片２３には、前記スライド部材２を後退方向へ手動により引っ張るワイヤ等からなる引張手段５が連結され、当該引張手段５の端末に取り付けられた輪状の連結片５０は、電磁石３の側部を経て取付ベース１の後方へ突き出している。
【００１９】
取付ベース１の各立壁１１は当該取付ベース１の先端部分を除く部分に形成され、各規制部材４の側面が側方に露出するようになっている。
図５で示すように、取付ベース１には規制部材４の側部を除く各部品を覆うようにカバー１０がねじ１０ｂによって取り付けられており、カバー１０の側部には遊技機の収容枠又は前面枠の所要部分に図示しないねじにより取り付けるための取付片１０ｃが一体に形成されている。カバー１０には、電磁石３のコイルを覆う部分に放熱促進のため越し屋根状の浮上部１０ａが形成されている。
引張手段５の端末及び電磁石３のコイルと接続されたリード線３４の端末は、カバー１０の後端方向へ引き出されており、リード線３４の端末には接続ソケット３４ａが取り付けられている。
【００２０】
この実施形態の不正解錠防止装置ａは、一方の規制部材４と施錠装置８の鉤部材８０との位置関係が図３の状態となるように、例えば図１の遊技機７の収容枠７１の内部へ設置し、引張手段５に連結したワイヤ等の端末を遊技機７外に導き、例えば遊技機７の外部に取り付けた施錠可能なケース（図示せず）に前記ワイヤ等の端末を収容する。
この状態で遊技盤７０ａが収容枠７１内に収まるように扉状の前面枠７０を閉じられるとき、図１のばね８４により係止部材８１ヘ係止される方向（施錠方向、すなわち図３の上方）に付勢されている前面枠７０側の鉤部材８０は、図３の二点鎖線で示すように、不正開錠防止装置ａに向かって矢印ｂのように移動しつつ、その鉤の先端傾斜部が係止部材８１にガイドされて当該鉤部材８０の鉤の高さｈ相当分規制部材４の方向に変位し、規制部材４に突き当たってスライド部材２を後退させる。前面枠７０が閉じられて停止すると、鉤部材８０は図１のばね８４の付勢により図３の実線で示すように係止部材８１に係止されて施錠状態となり、スライド部材２とともに規制部材４が鉤部材８０の解錠方向への動きを阻止する原位置に復帰する。すなわち、不正解錠防止装置ａは図３のように施錠装置８に対して解錠禁止状態に復帰する。
【００２１】
他方、遊技機の修理その他の理由により当該遊技機の前面枠７０を開く場合には、例えばスイッチ操作等で電磁石３を作動させることにより、スライド部材２が規制部材４を伴って図４のように限界まで後退し、規制部材４が鉤部材８０の動きを規制する位置から規制しない位置に変位するので、不正解錠防止装置ａは施錠装置８に対して解錠許容状態となる。
この実施形態では、電磁石３が作動して解錠許容状態となった後、所定の時間（例えば１０〜６０秒）経過すると電磁石３の通電が遮断されて図３の解錠禁止状態に復帰するように構成される。
停電時や遊技機の電気配線の故障時等に前面枠を開く必要が生じたときは、引張手段５によりスライド部材２を手操作により後退方向に限界まで引っ張ることにより、図４のように解錠許容状態となる。
【００２２】
不正解錠防止システムの実施形態
図６を参照しながら、前記実施形態の不正解錠防止装置ａを使用した不正解錠防止システムの実施形態を説明する。
一つの遊技場（ホール）は複数の島（区画）ｃ１，ｃ２…ｃｎに区分され、各島ｃ１，ｃ２には所定数の遊技機７が設置され、各遊技機７には不正解錠防止装置ａが取り付けられている。
各島ｃ１，ｃ２に対応して、不正解錠防止装置ａを制御する制御手段６とそれに接続された読取手段６０が設置されており、各制御手段６は中継器６１を介して遊技場内に設置されたパソコン（パーソナルコンピュータ）６２と接続されている。各制御手段６は、制御機能のほかに演算機能とタイマ機能を有している。
【００２３】
遊技場に所属する各係員（図示せず）は、それぞれ固有識別情報を磁気その他の手段により記録した識別タグ（又はカード）等からなる識別手段６ａを所持しており、一係員が所持する識別手段６ａを通じて固有識別情報を特定の読取手段６０に読み取らせる（タグを読取手段にかざすか接触させる）と、不正解錠防止装置ａが以下のように制御され、防止システムが以下のように作動するように構成されている。
当該読取手段６０に対応する島ｃ１の全不正解錠防止装置ａが、その島ｃ１の制御手段６を通じて施錠装置に対し一斉に解錠許容状態に作動し、所定の設定時間経過後に当該島ｃ１の全不正解錠防止装置ａが一斉に解錠禁止状態に復帰する。解錠許容状態から解錠禁止状態に復帰する時間は、パソコン６２を通じて各制御手段６に対して設定される。設定範囲は、例えば１０〜６０秒である。
前記制御と併行して、当該係員の固有識別情報とともに、その島ｃ１の識別情報（例えば島番号）と、当該島ｃ１の不正解錠防止装置ａが解錠許容状態に作動した時刻（年、月、日、時、分、秒）が、その島ｃ１に対応する制御手段６を通じてパソコン６２に伝送されるとともに、当該パソコン６２に付属する記憶装置に記録されるほか表示装置に随時表示される。
以上のように、各島ｃ１，ｃ２…単位で不正解錠防止装置ａを操作した係員の固有識別情報と、当該操作の時刻を当該島の識別情報とともに継続的に記録管理することにより、係員による不正解錠操作を心理的に困難にし、当該遊技場における遊技機の不正解錠をより完全に防止することができる。
【００２４】
なお、各制御手段６にはそれに対応する島ｃ１，ｃ２の全不正解錠防止装置ａの作動状態を監視させ、特定の不正解錠防止装置ａが解錠許容状態に作動したとき、その島の識別情報と、作動した時刻情報とを固有識別情報とともに記録・表示するように制御するのが好ましい。
防止システムこのように構成することにより、係員の固有識別情報が記録されなかったときは、不正解錠防止装置ａが不正に操作されたことが判明し、不正解錠防止の効果をより完全に達成することができる。また、係員の固有識別情報がなかったときは、パソコン６２の表示装置上にアラームを点灯させたり、警報を発するように構成するとさらに好ましい。
【図面の簡単な説明】
【００２５】
【図１】本考案に係る実施形態の不正解錠防止装置を設置した遊技機（パチンコ機）の前面枠を９０度強開いた状態の概略斜視図である。
【図２】本考案に係る実施形態の不正解錠防止装置の主要部を示す部分破断斜視図である。
【図３】図２の不正解錠防止装置の解錠禁止状態の平面図である。
【図４】図２の不正解錠防止装置の解錠許容状態の概略平面図である。
【図５】図２の不正解錠防止装置の全体を示す斜視図である。
【図６】本考案に係る不正解錠防止装置を使用した遊技場の不正解錠防止システムの概略を示すブロック図である。
【符号の説明】
【００２６】
ａ  不正解錠防止装置
１  取付ベース
１０  カバー
１０ａ  浮上部
１０ｂ  ねじ
１０ｃ  取付片
１１  立壁
１２  取付片
１３  ガイドピン
１４  孔
２  スライド部材
２０  ガイドスリット
２１  連結片
２２  ねじ
２３  突起片
２４  ガイド板
３  電磁石
３０  可動鉄心
３１  保持枠
３２  取付板
３３ねじ
３４  リード線
３４ａ  接続ソケット
４  規制部材
５  引張手段
５０  連結片
６  制御手段
６ａ  識別手段
６０  読取手段
６１  中継器
６２  パソコン
７  遊技機
７０  前面枠
７０ａ  遊技盤
７０ｂ  ガラス窓
７１  収容枠（外枠）
８  施錠装置
８０  鉤部材
８１  係止部材
８２  作動部材
８４  ばね
【図１】
0003109275.tif 000003
【図２】
0003109275.tif 000004
【図３】
0003109275.tif 000005
【図４】
0003109275.tif 000006
【図５】
0003109275.tif 000007
【図６】
0003109275.tif 000008